(57)【要約】    【課題】  本発明は、マウス本体の下面のライナーとの摺動性とマウスボールに対する回転性に優れると共に、繊維状のゴミや消しゴム滓等を除去しやすく、長期の使用に際してマウスを安定して操作させるマウスパッドの提供を目的とする。    【解決手段】  本発明のマウスパッドは、シート状基材２の表面にマウスの操作面シート１を設けたマウスパッドにおいて、該マウスの操作面シート１を、多数の網目状の透孔３を有する硬質プラスチックシートとしたものである。【選択図】  図１
2005301942.tif 000002
【特許請求の範囲】
【請求項１】
シート状基材の表面にマウスの操作面シートを設けたマウスパッドにおいて、該マウスの操作面シートを、多数の網目状の透孔を有する硬質プラスチックシートとしたことを特徴とするマウスパッド。
【請求項２】
硬質プラスチックシートの厚みが１ｍｍ〜５ｍｍ、網目における透孔形状が四角形であって透孔間のライン幅が１ｍｍ〜３ｍｍ、透孔面積が４ｍｍ2 〜１６ｍｍ2 であることを特徴とする請求項１記載のマウスパッド。
【発明の詳細な説明】
【技術分野】
【０００１】
本発明は、コンピュータのマウスの下に敷いてマウスの操作性改善に用いるマウスパッドに関する。
【背景技術】
【０００２】
コンピュータのマウスは、ボールカウント式や光学式があり、手で把持しやすい大きさのネズミのような形をしたポインターの手操作装置（ポインティング・デバイス）である。ボールカウント式にあっては、回転自在のボールをマウス本体の底面に穿設された孔から底面外部へ臨ませ、マウス本体をマウスパッド上で移動させる際にマウスパッド面上を回転して転動させ、その回転に従って回転するカウンタ用回転ローラをマウス本体内に備えたものである。カウンタ用回転ローラは、ボールの回転をＸ軸方向及びＹ軸方向に分けてカウントし、その回転情報がマウスの移動距離および移動方向としてコンピュータで解析され、これによりディスプレイ上に表示されたポインタをマウスの操作により移動させることができる。
【０００３】
マウスの下面において回転可能に取り付けられているボールは、スリップや空回りを防止を目的として球状基材の表面にゴム材などの滑り止め材がコーティングされており、また、マウス本体の下面には、ライナーと称せられる摺動性に優れる低摩擦係数のポリアミド樹脂や弗素樹脂等からなる摺動材を設け、マウスパッド面を摺動接触させることにより微妙な摺動操作を可能としている。
【０００４】
このようなマウスの操作性を向上させ、その状態を安定させるためにマウスパッドが用いられるが、その表面は、マウス本体の下面のライナーとの摺動性に優れると共にボールに対しては滑らずに回転させるという相反する物性が要求される。従来、マウスパッド表面を、例えば織物とマトリックス樹脂とから構成し、その表面に織物由来の凹凸を持たせたもの（特許文献１）、また、木材パルプを叩解した紙等としたもの（特許文献２）等が知られているが、使用している過程で繊維状のゴミや消しゴム滓等がマウスボールを介してマウスのセンサーに堆積することで応答性が低下するという問題がある。
【特許文献１】特開２００３−１９６０２１
【特許文献２】特開２００３−２９６０１８
【発明の開示】
【発明が解決しようとする課題】
【０００５】
本発明は、マウス本体の下面のライナーとの摺動性とマウスボールに対する回転性に優れると共に、繊維状のゴミや消しゴム滓等を除去しやすく、長期の使用に際してマウスを安定して操作させるマウスパッドの提供を目的とする。
【課題を解決するための手段】
【０００６】
本発明のマウスパッドは、シート状基材の表面にマウスの操作面シートを設けたマウスパッドにおいて、該マウスの操作面シートを、多数の網目状の透孔を有する硬質プラスチックシートとしたことを特徴とする。
【０００７】
また、硬質プラスチックシートの厚みが１ｍｍ〜５ｍｍ、網目における透孔形状が四角形であって透孔間のライン幅が１ｍｍ〜３ｍｍ、透孔面積が４ｍｍ2 〜１６ｍｍ2 であることを特徴とする。
【発明の効果】
【０００８】
本発明のマウスパッドは、マウス本体の下面のライナーとの摺動性とマウスボールに対する回転性に優れると共に、繊維状のゴミや消しゴム滓等を除去しやすく、長期の使用に際してマウスを安定して操作させることができる。
【発明を実施するための最良の形態】
【０００９】
本発明のマウスパッドの断面図を図１に、平面図を図２に示す。なお、図１は図２におけるＡ−Ａ線での断面図である。図中、１は操作面シート、２はシート状基材、３は透孔、４は透孔３を区画する硬質プラスチックシートから形成されたライン部である。
【００１０】
操作面シート１は、図１、図２に示すように、四角形状の透孔を網目状に打ち抜き成型し、マウス操作面を表面平滑とした硬質プラスチックシートであり、マウス操作面を例えば２０×３０ｃｍとしたものである。硬質プラスチックシートとしては、ＡＳＴＭＤ８８３で規定する標準状態での弾性率が７００ＭＰａ以上のものが例示され、マウス本体下面におけるライナーと同様のポリアミド樹脂（ナイロン）や弗素樹脂、塩化ビニル樹脂等の硬質プラスチックシートであり、厚みとしては１ｍｍ〜５ｍｍとするとよい。操作面シート１として、マウス本体下面におけるライナーと同質の硬質プラスチックとすることにより、マウス本体下面におけるライナーとの摺動性に優れるものとできる。また、硬質プラスチックシート中にカーボンブラック等の導電性材料を混入することにより、帯電防止性に優れ、ゴミ等の付着のない操作面シートとできると共に光学式マウスに適したマウスパッドとできる。
【００１１】
操作面シート１は、正四角形の透孔が網目状に打抜かれた硬質プラスチックシートとされるものであり、マウスボールの直径としては通常約１８ｍｍである場合が多く、そのため、本発明においては、操作面での透孔間のライン４の幅を１ｍｍ〜３ｍｍ、透孔面積が４ｍｍ2 〜１６ｍｍ2 （２ｍｍ角〜４ｍｍ角）の網目構造とし、その透孔角部によりマウスボールをスムーズに回転させるものである。操作面シート１における透孔形状としては、図１、図２においては正四角形を例示したが、縦横長さの相違する四角形状や３角形状、５角形状、６角形状等の多角形状、また円形、楕円形状としてもよい。
【００１２】
操作面シート１におけるライン幅が３ｍｍより大きく、また、透孔面積が１６ｍｍ2 より大きいと、マウスボールの回転性に影響を与えるので好ましくない。また、ライン幅が１ｍｍより小さいと網目の強度が低下し、また、透孔面積が小さいと透孔を設ける意味がなく、マウスボールの回転にスベリを発生させるので好ましくない。
【００１３】
なお、マウスボールの直径が１８ｍｍより小さい場合には、ボールのスベリを確実に防止する観点から、上述のライン幅、透孔面積の最大値を小さく調整するとよく、また、１８ｍｍより大きい場合には、上述のライン幅、透孔面積の最大値を大きくすることができるが、透孔形状が正四角形の場合、その一辺の長さとしてはポール直径の１／４以下の長さとするとよい。
【００１４】
シート状基材２としては、机上面に馴染む程度の軟らかさがある合成樹脂またはゴム製のシートであり、ＡＳＴＭＤ８８３で規定する標準状態での弾性率が７０ＭＰａ以下のポリウレタン樹脂、塩化ビニル樹脂、塩化ビニリデン樹脂、ＡＢＳ樹脂、ポリエチレン樹脂、ポリプロピレン樹脂等からなるシートやこれらの樹脂の多孔質体シートとするとよく、木製、スチール製、ガラス面、プラスチック面等の机上面に対する摩擦係数が大きく、マウスパッドを安定して机上面に固定できるものとするよい。その厚さには格別の限定はないが、５ｍｍ〜１０ｍｍ程度であり、また、シート状基材の机上面側の表面には適宜の凹凸を設け、より机上面に対する摩擦係数を高めたものとするとよい。また、シート状基材には、上述した操作面シートと同様に顔料を練り込んだもとすると光学式マウスへの適用にも適したものとできる。
【００１５】
操作面シート１とシート状基材２とは、接着剤（図示せず）を介して積層される。接着剤としては、操作面シート１とシート状基材２とを接着するものであれば特に限定はない。
【００１６】
本発明のマウスパッドを光学式マウスに使用する場合には、マウスパッドとして着色していることが要求されるが、上述した構造とすることによりマウス本体の下面のライナーとの摺動性に優れ、長期の使用に際して安定して操作させることができる。
【００１７】
以下、実施例により本発明を説明する。
【実施例】
【００１８】
シート状基材として、カーボンブラックを練り込んだ厚さ５ｍｍ、縦２０ｃｍ×横３０ｃｍの軟質ポリ塩化ビニル樹脂シートを用意した。
【００１９】
また、カーボンブラックを練り込んだ厚さ３ｍｍの硬質塩化ビニル樹脂シートに、ライン幅２ｍｍ、透孔形状が３ｍｍ角の多数の正方形状透孔を網目状に打ち抜き、操作面におけるバリを研磨により除き平滑面とし、図２に示す縦２０ｃｍ×横３０ｃｍの操作面シートを作製した。
【００２０】
得られた操作面シート１の一方の面にポリウレタン系接着剤を使用して、前記のシート状基材上に積層し、シート状基材と操作面シートとを接着して本発明のマウスパッドを得た。
【００２１】
ボールの直径が約１８ｍｍのボールカウント方式マウスを使用して、マウスパッドにおける操作面上で操作したところ、操作面シート上でのマウス本体の移動はスムーズであった。また、マウスボールのスベリはなく、マウスの移動が確実にボールの回転に伝わり、パソコン画面上のポインタの移動もスムーズであった。
【００２２】
また、マウスパッド上を２００回／日の頻度で移動させ、３ケ月後のマウスパッドセンサー部に付着したゴミの量を目視したところ、ゴミの付着はほとんどなかった。
（比較例１）
実施例におけるカーボンブラックを練り込んだ厚さ３ｍｍの硬質塩化ビニル樹脂シートを、ライン幅５ｍｍ、透孔形状が５ｍｍ角である多数の正方形状透孔からなる網目を抜き成型し、縦２０ｃｍ、横３０ｃｍの操作面シートを作製した以外は、実施例と同様にして比較のためのマウスパッドを得た。
【００２３】
ボールの直径が約１８ｍｍのボールカウント方式マウスを使用して、本発明のマウスパッド上で操作したところ、マウス本体の操作面シート上での移動はスムーズであったが、ボールの透孔内でのスベリが生じ、パソコン画面上のポインタの移動に支障が生じた。
【００２４】
なお、実施例と同様に操作し、マウスパッドセンサー部に付着したゴミの量を目視したところ、ゴミの付着はほとんどなかった。
（比較例２）
実施例におけるカーボンブラックを練り込んだ厚さ３ｍｍの硬質塩化ビニル樹脂シートに透孔を設けないで縦２０ｃｍ、横３０ｃｍの操作面シートとした以外は、実施例と同様にして比較のためのマウスパッドを得た。
【００２５】
ボールの直径が約１８ｍｍのボールカウント方式マウスを使用して、本発明のマウスパッド上で操作したところ、マウス本体の操作面シート上での移動はスムーズであったが、ボールのスベリが生じ、パソコン画面上のポインタの移動に支障が生じた。
【００２６】
また、実施例と同様に操作し、マウスパッドセンサー部に付着したゴミの量を目視したところ、ゴミの堆積が認められた。
【図面の簡単な説明】
【００２７】
【図１】図１は、本発明のマウスパッド断面図である。
【図２】図２は、本発明のマウスパッド平面図である。
【符号の説明】
【００２８】
１は操作面シート、２はシート状基材、３は透孔、４は透孔を区画する硬質プラスチックシートから形成されたライン部
【図１】
2005301942.tif 000003
【図２】
2005301942.tif 000004